(57)【特許請求の範囲】
【請求項１】
貯湯タンク(１)と、
上記貯湯タンク(１)内の水を沸き上げるためのヒートポンプユニット(２)と、
上記貯湯タンク(１)と上記ヒートポンプユニット(２)との間に接続された循環経路と、
上記循環経路に配設された循環ポンプ(Ｐ１)と、
上記貯湯タンク(１)と浴槽(３)との間に接続された給水経路と、
上記給水経路に配設された弁機構と、
上記ヒートポンプユニット(２)と上記循環ポンプ(Ｐ１)および上記弁機構を制御する制御装置(１００)と、
上記循環経路において上記ヒートポンプユニット(２)から上記貯湯タンク(１)の上部に水が戻るかまたは上記ヒートポンプユニット(２)から上記貯湯タンク(１)の下部に水が戻るかを切り換える三方弁(１０)と
を備え、
上記制御装置(１００)は、上記循環ポンプ(Ｐ１)を駆動して、上記循環経路内の空気を抜いて上記貯湯タンク(１)内に溜めた後、上記弁機構を制御して上記貯湯タンク(１)内の空気を上記給水経路を介して上記浴槽(３)側に排出する空気抜き制御を行う空気抜き制御部(１００a)を有すると共に、
上記空気抜き制御部(１００a)は、上記循環経路において上記ヒートポンプユニット(２)から上記貯湯タンク(１)の下部に水が戻るように上記三方弁(１０)を切り換えた状態で上記循環ポンプ(Ｐ１)を駆動して、上記循環経路内の空気を抜いて上記貯湯タンク(１)内に溜める上記空気抜き制御を行うことを特徴とする貯湯式給湯機。
【請求項２】
請求項１に記載の貯湯式給湯機において、
上記浴槽(３)の水位を検出する水位センサ(ＬＳ)と、
上記貯湯タンク(１)から上記浴槽(３)に上記給水経路を介して供給する水の水量を検出する水量センサ(７)と
を備え、
上記制御装置(１００)は、上記空気抜き制御部(１００a)により上記空気抜き制御を行った後、上記弁機構を制御して、上記水位センサ(ＬＳ)により検出された上記浴槽(３)の水位と上記水量センサ(７)により検出された上記水量に基づいて、上記浴槽(３)の水位確定動作を制御する水位確定動作制御部(１００b)を有することを特徴とする貯湯式給湯機。
【請求項３】
請求項１または２に記載の貯湯式給湯機において、
上記空気抜き制御部(１００a)は、上記空気抜き制御において、上記循環経路内の空気抜きのために上記循環ポンプ(Ｐ１)を所定時間運転することを特徴とする貯湯式給湯機。
【発明の詳細な説明】
【技術分野】
【０００１】
この発明は、貯湯式給湯機に関する。
【背景技術】
【０００２】
従来、貯湯式給湯機としては、貯湯タンクと、貯湯タンク内の水を沸き上げるためのヒートポンプユニットと、貯湯タンクとヒートポンプユニットとの間に接続された循環経路と、循環経路に配設された沸き上げ用循環ポンプとを備えたものがある(例えば、特開２００３−１６１５１８号公報(特許文献１)参照)。
【０００３】
このような貯湯式給湯機では、据付時に実施する試運転において、試運転動作をリモートコントローラの操作により行っている。そのリモートコントローラ操作による試運転動作のうち、貯湯タンクとヒートポンプユニットとの間の循環経路の配管内の空気抜きは、沸き上げ用循環ポンプを動作させて、循環経路の配管内の空気を貯湯タンク内に送り込むことにより行う。そして、貯湯タンク内に溜まった空気を排出する作業は、貯湯タンク上部に設けられた逃がし弁を作業者が手動で操作して行う。このため、リモートコントローラが設置された台所と、貯湯タンクが据え付けられた屋外との間を、試運転中に作業者が往復することになって、台所と貯湯タンクとの間を往復する時間を含めた作業時間が長くなるので、据付時の作業性が悪いという問題がある。
【先行技術文献】
【特許文献】
【０００４】
【特許文献１】特開２００３−１６１５１８号公報
【発明の概要】
【発明が解決しようとする課題】
【０００５】
そこで、この発明の課題は、据付時の作業時間を短縮でき、作業性を向上できる貯湯式給湯機を提供することにある。
【課題を解決するための手段】
【０００６】
上記課題を解決するため、この発明の貯湯式給湯機は、
貯湯タンクと、
上記貯湯タンク内の水を沸き上げるためのヒートポンプユニットと、
上記貯湯タンクと上記ヒートポンプユニットとの間に接続された循環経路と、
上記循環経路に配設された循環ポンプと、
上記貯湯タンクと浴槽との間に接続された給水経路と、
上記給水経路に配設された弁機構と、
上記ヒートポンプユニットと上記循環ポンプおよび上記弁機構を制御する制御装置と、
上記循環経路において上記ヒートポンプユニットから上記貯湯タンクの上部に水が戻るかまたは上記ヒートポンプユニットから上記貯湯タンクの下部に水が戻るかを切り換える三方弁と
を備え、
上記制御装置は、上記循環ポンプを駆動して、上記循環経路内の空気を抜いて上記貯湯タンク内に溜めた後、上記弁機構を制御して上記貯湯タンク内の空気を上記給水経路を介して上記浴槽側に排出する空気抜き制御を行う空気抜き制御部を有する共に、
上記空気抜き制御部は、上記循環経路において上記ヒートポンプユニットから上記貯湯タンクの下部に水が戻るように上記三方弁を切り換えた状態で上記循環ポンプを駆動して、上記循環経路内の空気を抜いて上記貯湯タンク内に溜める上記空気抜き制御を行うことを特徴とする。
【０００７】
上記構成によれば、制御装置の空気抜き制御部により、循環ポンプを駆動して、循環経路内の空気を抜いて貯湯タンク内に溜めた後、弁機構を制御して貯湯タンク内の空気を給水経路を介して浴槽側に排出する空気抜き制御を行う。そうすることによって、例えば、リモートコントローラが設置された台所と屋外の貯湯タンクとの間を試運転中に作業者が往復する必要がなくなり、据付時の作業時間を短縮でき、作業性を向上できる。
【０００８】
また、一実施形態の貯湯式給湯機では、
上記浴槽の水位を検出する水位センサと、
上記貯湯タンクから上記浴槽に上記給水経路を介して供給する水の水量を検出する水量センサと
を備え、
上記制御装置は、上記空気抜き制御部により上記空気抜き制御を行った後、上記弁機構を制御して、上記水位センサにより検出された上記浴槽の水位と上記水量センサにより検出された上記水量に基づいて、上記浴槽の水位確定動作を制御する水位確定動作制御部を有する。
【０００９】
ここで、浴槽の水位確定動作とは、例えば１００リットルの水を浴槽に供給し、そのときに水位センサにより検出された浴槽の水位を基準水位として、通常運転時にその基準水位に基づいて、水位センサにより浴槽の水位を検出しながら湯張りや足し湯などを行う。
【００１０】
上記実施形態によれば、空気抜き制御部の空気抜き制御により貯湯タンク内から空気と共に浴槽に排出された水を、次の水位確定動作制御部による浴槽の水位確定動作に有効に利用できる。
【００１１】
また、一実施形態の貯湯式給湯機では、
上記空気抜き制御部は、上記空気抜き制御において、上記循環経路内の空気抜きのために上記循環ポンプを所定時間運転する。
【００１２】
上記実施形態によれば、空気抜き制御において、循環経路内の空気抜きのために空気抜き制御部により循環ポンプを所定時間(例えば最大配管長の条件で実験などにより予め設定された時間) 運転することによって、空気抜きが完了したか否かを判定する必要がなく、制御を簡略化できる。
【発明の効果】
【００１３】
以上より明らかなように、この発明の貯湯式給湯機によれば、据付時の作業時間を短縮でき、作業性を向上できる貯湯式給湯機を実現することができる。
【図面の簡単な説明】
【００１４】
【図１】図１はこの発明の実施の一形態の貯湯式給湯機の配管系統図である。
【図２】図２は上記貯湯式給湯機の循環経路内の空気抜きの動作を説明するための模式図である。
【図３】図３は上記貯湯式給湯機の貯湯タンク内の空気抜きの動作を説明するための模式図である。
【図４】図４は上記貯湯式給湯機の浴槽の水位確定動作を説明するための模式図である。
【図５】図５は上記貯湯式給湯機の制御装置の動作を説明するためのフローチャートである。
【発明を実施するための形態】
【００１５】
以下、この発明の貯湯式給湯機を図示の実施の形態により詳細に説明する。
【００１６】
図１はこの発明の実施の一形態の貯湯式給湯機の配管系統図を示している。この貯湯式給湯機は、図１に示すように、貯湯タンク１と、上記貯湯タンク１内の水を沸き上げるためのヒートポンプユニット２とを備えている。上記貯湯タンク１の下部に配管Ｌ１の一端を接続し、配管Ｌ１の他端をヒートポンプユニット２の熱交換部２aの一端に接続している。また、上記ヒートポンプユニット２の熱交換部２aの他端を配管Ｌ２の一端に接続し、配管Ｌ２の他端を三方弁１０の入力側に接続している。上記三方弁１０の一方の出力側に配管Ｌ３の一端を接続し、配管Ｌ３の他端を貯湯タンク１の上部に接続している。一方、三方弁１０の他方の出力側に配管Ｌ４の一端を接続し、配管Ｌ４の他端を貯湯タンク１の下部に接続している。上記配管Ｌ１,Ｌ２,Ｌ３,Ｌ４で貯湯タンク１とヒートポンプユニット２との間の循環経路を構成している。また、上記配管Ｌ１に沸き上げ用循環ポンプＰ１を配設している。
【００１７】
上記沸き上げ用循環ポンプＰ１により、貯湯タンク１内の湯水を、配管Ｌ１,ヒートポンプユニット２の熱交換部２a,配管Ｌ２,三方弁１０,配管Ｌ３(またはＬ４)を介して循環させる。
【００１８】
次に、上記貯湯タンク１の下部に配管Ｌ１１を介して外部の給水管を接続している。この配管Ｌ１１に、ストレーナ１１と、給水管側から貯湯タンク１側への流れのみを許容する逆止弁１２と、減圧弁１３と、給水管側から貯湯タンク１側への流れのみを許容する逆止弁１４とを上流側から順に配設している。
【００１９】
また、上記貯湯タンク１の上部に配管Ｌ２１の一端を接続し、配管Ｌ２１の他端を風呂用混合弁５の一方の入力側に接続している。上記配管Ｌ２１に、貯湯タンク１側から反対側への流れのみを許容する逆止弁４を配設している。上記風呂用混合弁５の他方の入力側に、分岐配管Ｌ１２の一端を接続し、その分岐配管Ｌ１２の他端を、配管Ｌ１１の減圧弁１３と逆止弁１４との間に接続している。また、上記風呂用混合弁５の出力側に配管Ｌ２２の一端を接続し、配管Ｌ２２の他端を、浴槽３に設けられた接続アダプタ９の給湯口９aに接続している。この配管Ｌ２２の風呂用混合弁５側から順に、流量調整用電磁弁６と、水量センサ７と、風呂用混合弁５側から浴槽３への流れのみを許容する逆止弁８を配設している。
【００２０】
上記流量調整用電磁弁６と水量センサ７と逆止弁８で複合水弁３０を構成している。
【００２１】
上記配管Ｌ２１と配管Ｌ２２で、貯湯タンク１と浴槽３との間の給水経路を構成している。上記風呂用混合弁５と流量調整用電磁弁６と逆止弁８で弁機構を構成している。
【００２２】
上記接続アダプタ９の追い焚き用吸水口９bに配管Ｌ２４の一端を接続し、配管Ｌ２４の他端を追い焚き用熱交換器２０の２次側の入力に接続している。上記配管Ｌ２４に風呂用循環ポンプＰ３を配設している。また、配管Ｌ２２の逆止弁８よりも下流側に分岐配管Ｌ２３の一端を接続し、分岐配管Ｌ２３の他端を追い焚き用熱交換器２０の２次側の出力に接続している。
【００２３】
上記風呂用循環ポンプＰ３により、浴槽３内の湯水を、配管Ｌ２４,追い焚き用熱交換器２０の２次側,分岐配管Ｌ２３,配管Ｌ２２を介して循環させる。
【００２４】
また、上記配管Ｌ２１の逆止弁４よりも下流側に分岐配管Ｌ２５の一端を接続し、分岐配管Ｌ２５の他端を追い焚き用熱交換器２０の１次側の入力に接続している。上記追い焚き用熱交換器２０の１次側の出力に配管Ｌ２６の一端を接続し、配管Ｌ２６の他端を貯湯タンク１の下部に接続している。上記配管Ｌ２６に追い焚き用循環ポンプＰ２を配設している。
【００２５】
上記追い焚き用循環ポンプＰ２により、貯湯タンク１内の湯水を、配管Ｌ２１,分岐配管Ｌ２５,追い焚き用熱交換器２０の１次側,配管Ｌ２６を介して循環させる。
【００２６】
また、上記貯湯タンク１の上部に配管Ｌ３１の一端を接続し、配管Ｌ３１の他端を給湯用混合弁２２の一方の入力側に接続している。上記配管Ｌ３１に、貯湯タンク１側から給湯用混合弁２２への流れのみを許容する逆止弁２１を配設している。また、風呂用混合弁５の他方の入力側に、分岐配管Ｌ１３の一端を接続し、分岐配管Ｌ１３の他端を、分岐配管Ｌ１２の給湯用混合弁２２の他方の入力側に接続している。上記分岐配管Ｌ１３に、分岐配管Ｌ１２側から給湯用混合弁２２への流れのみを許容する逆止弁２３を配設している。上記給湯用混合弁２２の出力側に配管Ｌ３２の一端を接続し、配管Ｌ３２の他端を給湯部２５(この実施形態では蛇口)に接続している。上記配管Ｌ３２に水量センサ２４を接続している。
【００２７】
また、上記貯湯タンク１には、下側から上側に向かって略等間隔に６つの温度センサＴ１〜Ｔ６を設けている。また、給湯部２５に接続された配管Ｌ３２には、水量センサ２４よりも下流側に給湯温度を検出する温度センサＴ１１を設けている。また、浴槽３に接続された配管Ｌ２４には、浴槽３側の接続アダプタ９と風呂用循環ポンプＰ３との間に、水位センサＬＳと水流スイッチＳＷと温度センサＴ１２とを接続アダプタ９側から順に設けている。また、配管Ｌ１１の減圧弁１３と逆止弁１４との間かつ配管Ｌ１１に分岐配管Ｌ２１が接続された接続点よりも下流側に、給水温度を検出する温度センサＴ１３を設けている。さらに、浴槽３に接続された配管Ｌ２２の逆止弁８の下流側、かつ、配管Ｌ２２に分岐配管Ｌ２３が接続された接続点よりも上流側に、浴槽３に供給される給湯水の温度を検出する温度センサＴ１４を設けている。
【００２８】
また、上記貯湯式給湯機は、マイクロコンピュータと入出力回路などからなる制御装置１００と、上記制御装置１００との間で信号を送受信するリモートコントローラ２００とを備えている。上記制御装置１００は、空気抜き制御を行う空気抜き制御部１００aと、浴槽３の水位確定動作を制御する水位確定動作制御部１００bとを有する。上記制御装置１００は、温度センサＴ１〜Ｔ１４と水位センサＬＳと水流スイッチＳＷと水量センサ７,２４からの信号を受けて、ヒートポンプユニット２と沸き上げ用循環ポンプＰ１と追い焚き用循環ポンプＰ２と風呂用循環ポンプＰ３と風呂用混合弁５と給湯用混合弁２２と三方弁１０を制御する。
【００２９】
上記構成の貯湯式給湯機において、据付完了後の試運転では、ストレーナ１１と逆止弁１２と減圧弁１３を介して貯湯タンク１の下側から水を供給して貯湯タンク１内を水で満たした後、三方弁１０を配管Ｌ４側に切り換えて、沸き上げ用循環ポンプＰ１を所定時間運転して貯湯タンク１内の水を循環経路を介して循環させて空気抜き動作を行う。
【００３０】
図２は上記貯湯式給湯機の循環経路内の空気抜き動作を説明するための模式図を示し、図３は上記貯湯式給湯機の貯湯タンク内の空気抜き動作を説明するための模式図を示し、図４は上記貯湯式給湯機の浴槽の水位確定動作を説明するための模式図を示している。図２から図４では、図１と同一の構成部には、同一参照番号を付している。
【００３１】
以下、この実施形態の貯湯式給湯機の空気抜き動作と水位確定動作を図２〜図４により説明する。
【００３２】
上記制御装置１００の空気抜き制御部１００aは、図２に示すように、三方弁１０を配管Ｌ４側に切り換えた状態で沸き上げ用循環ポンプＰ１を駆動して、循環経路(図１の配管Ｌ１,Ｌ２,Ｌ４)内の空気を抜いて貯湯タンク１内に溜める。
【００３３】
その後、空気抜き制御部１００aは、図３に示すように、風呂用混合弁５と流量調整用電磁弁６を制御すると共に、風呂用循環ポンプＰ３を駆動して、貯湯タンク１内の上部空間に溜まった空気を、給水経路(図１の配管Ｌ２１と配管Ｌ２２)を介して浴槽３側に排出する空気抜き制御を行う。
【００３４】
次に、上記制御装置１００の水位確定動作制御部１００bは、図４に示すように、弁機構(風呂用混合弁５と流量調整用電磁弁６)を制御して、水位センサＬＳ(図１に示す)により検出された浴槽３の水位と水量センサ７(図１に示す)により検出された水量に基づいて、浴槽３の水位確定動作を行う。
【００３５】
この貯湯式給湯機において、浴槽３の水位確定動作は、例えば１００リットルの水を浴槽３に供給し、そのときに水位センサＬＳにより検出された浴槽３の水位を基準水位として制御装置１００に記憶し、通常運転時にその基準水位に基づいて、水位センサＬＳにより浴槽３の水位を検出しながら湯張りや足し湯などを行う。
【００３６】
図５は上記貯湯式給湯機の制御装置１００の動作のフローチャートを示しており、以下に図５に従って制御装置１００の動作を説明する。
【００３７】
まず、処理がスタートすると、ステップＳ１で三方弁１０を配管Ｌ４側に切り換えた状態で沸き上げ用循環ポンプＰ１を運転する。
【００３８】
次に、ステップＳ２に進み、沸き上げ用循環ポンプＰ１の運転時間が第１所定時間を越えたと判別すると、ステップＳ３に進む一方、沸き上げ用循環ポンプＰ１の運転時間が第１所定時間を越えていないと判別すると、ステップＳ２を繰り返す。
【００３９】
次に、ステップＳ３で風呂試運転を開始する。すなわち、貯湯タンク１内の上部空間に溜まった空気を浴槽３側に排出する動作を開始する。
【００４０】
そして、ステップＳ４に進み、風呂用混合弁５の開度を湯側全開とし、ステップＳ５に進み、流量調整用電磁弁６を所定開度に開く。
【００４１】
次にステップＳ６に進み、流量調整用電磁弁６の開動作からの経過時間が第２所定時間を越えたと判別したとき、空気抜き制御を終了してステップＳ７に進む一方、流量調整用電磁弁６の開動作からの経過時間が第２所定時間を越えていないと判別したとき、ステップＳ６を繰り返す。
【００４２】
そして、ステップＳ７で風呂用混合弁５の開度を水側全開とし、ステップＳ８に進み、風呂試運転を継続して水位確定動作を行った後、この処理を終了する。
【００４３】
上記構成の貯湯式給湯機によれば、据付時の試運転時において、制御装置１００の空気抜き制御部１００aにより、沸き上げ用循環ポンプＰ１を駆動して、循環経路(Ｌ１,Ｌ２,Ｌ４)内の空気を抜いて貯湯タンク１内に溜めた後、弁機構(風呂用混合弁５と流量調整用電磁弁６)を制御して貯湯タンク１内の空気を給水経路(Ｌ２１,Ｌ２２)を介して浴槽３側に排出する空気抜き制御を行う。そうすることによって、例えば、リモートコントローラ２００が設置された台所と屋外の貯湯タンク１との間を試運転中に作業者が往復する必要がなくなり、据付時の作業時間を短縮でき、作業性を向上できる。
【００４４】
また、貯湯タンク１からの温水と外部から供給される水とを混合する風呂用混合弁５と、給水経路を開閉する流量調整用電磁弁６とを有する弁機構を用いることによって、貯湯タンク１から給水経路(Ｌ２１,Ｌ２２)を介して浴槽３に供給する湯温と湯量を夫々制御することができる。
【００４５】
また、上記制御装置１００の空気抜き制御部１００aにより上記空気抜き制御を行った後、弁機構(風呂用混合弁５と流量調整用電磁弁６)を制御して、水位センサＬＳにより検出された浴槽３の水位と水量センサ７により検出された水量に基づいて、水位確定動作制御部１００bにより浴槽３の水位確定動作を制御するので、空気抜き制御部１００aの空気抜き制御により貯湯タンク１内から空気と共に浴槽３に排出された水を、次の水位確定動作制御部１００bによる浴槽３の水位確定動作に有効に利用できる(浴槽３の栓は予め閉じている)。
【００４６】
また、空気抜き制御において、循環経路(Ｌ１,Ｌ２,Ｌ４)内の空気抜きのために空気抜き制御部１００aにより沸き上げ用循環ポンプＰ１を第１所定時間駆動することによって、空気抜きが完了したか否かを判定する必要がなく、制御を簡略化できる。ここで、沸き上げ用循環ポンプＰ１を第１所定時間は、例えば貯湯タンク１と浴槽３との循環経路の最大配管長の条件における実験などにより予め設定する。
【００４７】
なお、循環経路内の空気抜きのために空気抜き制御部による沸き上げ用循環ポンプＰ１の駆動は、これに限らず、作業者の目視などにより空気抜きが完了したことを判定して沸き上げ用循環ポンプＰ１の駆動を停止するなどの他の手段により空気抜き制御を行ってもよい。
【００４８】
上記貯湯式給湯機では、試運転終了後の通常運転では、制御装置１００によって、まず、三方弁１０を配管Ｌ３側に切り換えて、沸き上げ用循環ポンプＰ１とヒートポンプユニット２を運転し、貯湯タンク１内の水を循環経路を介して循環させて、貯湯タンク１内の水を沸き上げる沸き上げ運転を行う。この沸き上げ運転は、温度センサＴ１１〜Ｔ１６により検出された湯の温度に基づいて、制御装置１００により沸き上げ用循環ポンプＰ１とヒートポンプユニット２を制御して行われる。
【００４９】
そして、浴槽３への湯張り運転では、風呂用混合弁５と流量調整用電磁弁６を制御し、所望の水位に湯張りを行う。このとき、配管Ｌ１１を介した給水圧力により貯湯タンク１の下部から貯湯タンク１内に水が供給され、貯湯タンク１の上部から出湯された高温の湯が風呂用混合弁５で水と混合された後、配管Ｌ２２を介して浴槽３に供給される。このとき、制御装置１００は、温度センサＴ１４により検出された湯の温度が設定温度になるように、風呂用混合弁５の湯と水の混合比を制御する。
【００５０】
また、追い焚き運転では、追い焚き用循環ポンプＰ２を運転して、貯湯タンク１内の湯を追い焚き用熱交換器２０の１次側を介して循環させると共に、風呂用循環ポンプＰ３を運転して、浴槽３内の湯水を追い焚き用熱交換器２０の２次側を介して循環させる。これにより、追い焚き用熱交換器２０で浴槽３側の湯水を加熱して追い焚きを行う。
【００５１】
また、給湯部２５の蛇口を開くと、給水圧力により貯湯タンク１の下部から貯湯タンク１内に水が供給され、貯湯タンク１の上部から出湯された高温の湯が給湯用混合弁２２で水と混合された後、配管Ｌ３２を介して給湯部２５に供給される。このとき、制御装置１００は、温度センサＴ１１により検出された給湯温度が設定給湯温度になるように、給湯用混合弁２２の湯と水の混合比を制御する。
【００５２】
上記実施の形態では、追い焚き用熱交換器２０を用いた貯湯式給湯機について説明したが、貯湯式給湯機はこれに限らず、追い焚き用熱交換器を用いない他の構成の貯湯式給湯機にこの発明を適用してもよい。また、貯湯タンク１を１つ備えた貯湯式給湯機について説明したが、これに限らず、２つの貯湯タンクを上下２段構成した貯湯式給湯機などにこの発明を適用してもよい。
【００５３】
また、上記実施の形態では、風呂用混合弁５と流量調整用電磁弁６を有する弁機構を備えた貯湯式給湯機について説明したが、弁機構はこれに限らず、他の構成の弁機構を備えた貯湯式給湯機にこの発明を適用してもよい。
【００５４】
また、上記実施の形態では、空気抜き制御部１００aにより空気抜き制御を行った後、水位確定動作制御部１００bにより浴槽３の水位確定動作を行ったが、水位確定動作はなくともよい。
【００５５】
この発明の具体的な実施の形態について説明したが、この発明は上記実施の形態に限定されるものではなく、この発明の範囲内で種々変更して実施することができる。
【符号の説明】
【００５６】
１…貯湯タンク
２…ヒートポンプユニット
２a…熱交換部
３…浴槽
５…風呂用混合弁
６…流量調整用電磁弁
７,２４…水量センサ
９…接続アダプタ
１３…減圧弁
２０…追い焚き用熱交換器
２２…給湯用混合弁
３０…複合水弁
１００…制御装置
１００a…空気抜き制御部
１００b…水位確定動作制御部
２００…リモートコントローラ
ＬＳ…水位センサ
Ｐ１…沸き上げ用循環ポンプ
Ｐ２…追い焚き用循環ポンプ
Ｐ３…風呂用循環ポンプ
ＳＷ…水流スイッチ
【図１】
0005581650.tif 000002
【図２】
0005581650.tif 000003
【図３】
0005581650.tif 000004
【図４】
0005581650.tif 000005
【図５】
0005581650.tif 000006